(57)【要約】【課題】ガス遮断器の固定接触子、可動接触子や絶縁ノズルの交換時期の正確な予測や判定ができない問題を解決し、ガス遮断器を停止・密封開放することなく接触子や絶縁ノズルの損耗状態を高精度に予測し、これらの交換時期を正確に判定できる状態予測方法及び状態予測装置並びにその状態素側方法を適用したガス絶縁開閉装置を得ることを目的とする。【解決手段】タンク１内に封入されたＳＦ６を主成分とする消弧性ガス中のＣＦ４ガスの濃度を検出し、所定のＣＦ４ガスの濃度と損耗量の関係に基づいて、接触子２、５または絶縁ノズル１４の損耗状態を予測することを特徴とするものである。【選択図】図１
2008198557.tif 000002
【特許請求の範囲】
【請求項１】
ＳＦ６を主成分とする消弧性ガスを封入したタンク内の固定接触子及び可動接触子が開離したときに発生するアークを覆うとともに前記消弧性ガスを吹き付けるためのフッ素樹脂製の絶縁ノズルを備えたガス遮断器の状態予測方法であって、
前記タンク内に封入された前記消弧性ガス中のＣＦ４ガスの濃度を検出し、所定のＣＦ４ガスの濃度と損耗量の関係に基づいて前記固定接触子或いは前記可動接触子または前記絶縁ノズルの損耗状態を予測することを特徴とするガス遮断器の状態予測方法。
【請求項２】
ＣＦ４ガスを検出する検出手段がガスクロマトグラフまたは赤外分光装置であることを特徴とする請求項１記載のガス遮断器の状態予測方法。
【請求項３】
期間をおいて測定したＣＦ４ガスの濃度の変化傾向に基づいて、固定接触子或いは可動接触子接触子または絶縁ノズルの交換時期を予測することを特徴とする請求項１または２記載のガス遮断器の状態予測方法。
【請求項４】
ＳＦ６を主成分とする消弧性ガスが封入され、接触子が開離したときに発生するアークを覆うともに前記消弧性ガスを吹き付けるためのフッ素樹脂製の絶縁ノズルを備えたガス遮断器のタンクから前記消弧性ガスを採取するガス採取手段と、
このガス採取手段で採取された前記消弧性ガス中のＣＦ４ガスの濃度を検出する検出手段と、
前記接触子または前記絶縁ノズルの所定損耗量に対応する基準ＣＦ４ガス濃度を記憶した基準ガス濃度記憶手段と、
前記検出手段で検出された前記ＣＦ４ガスの濃度が前記基準ガス濃度記憶手段に記憶された前記基準ＣＦ４ガス濃度以上になった場合に出力信号を出力する比較手段と、
この比較手段から出力される前記出力信号に基づいて警報する警報手段と備えたガス遮断器の状態予測装置。
【請求項５】
検出手段で検出したＣＦ４ガスの濃度とその検出日時を関連づけてＣＦ４濃度時系列データとして記憶する時系列データ記憶手段と、
この時系列データ記憶手段に記憶された前記ＣＦ４濃度時系列データから導かれるＣＦ４ガスの濃度の変化傾向に基づいて基準ガス濃度記憶手段に記憶された基準ＣＦ４ガス濃度になる予定期日を演算する処理手段と、
この処理手段で演算した前記予定期日を表示する表示手段とを備えた請求項４記載のガス遮断器の状態予測装置。
【請求項６】
ＳＦ６を主成分とする消弧性ガスを封入したタンクと、
このタンク内に配置された固定接触子と、
この固定接触と接離可能な可動接触子と、
この可動接触子が前記固定接触子から開離したときに発生するアークを覆うともに前記消弧性ガスを吹き付けるためのフッ素樹脂製の絶縁ノズルと、
前記タンクから前記消弧性ガスを採取するガス採取手段と、
このガス採取手段で採取された前記消弧性ガス中のＣＦ４ガスの濃度を検出する検出手段と、
前記接触子または前記絶縁ノズルの所定損耗量に対応する基準ＣＦ４ガス濃度を記憶した基準ガス濃度記憶手段と、
前記検出手段で検出された前記ＣＦ４ガスの濃度が前記基準ガス濃度記憶手段に記憶された前記基準ＣＦ４ガス濃度以上になった場合に出力信号を出力する比較手段と、
この比較手段から出力される前記出力信号に基づいて警報する警報手段と備えたガス遮断器。
【請求項７】
検出手段で検出したＣＦ４ガスの濃度とその検出日時を関連づけてＣＦ４濃度時系列データとして記憶する時系列データ記憶手段と、
この時系列データ記憶手段に記憶された前記ＣＦ４濃度時系列データから導かれるＣＦ４ガスの濃度の変化傾向に基づいて基準ガス濃度記憶手段に記憶された基準ＣＦ４ガス濃度になる予定期日を演算する処理手段と、
この処理手段で演算した前記予定期日を表示する表示手段とを備えた請求項６記載のガス遮断器。
【発明の詳細な説明】
【技術分野】
【０００１】
この発明は、ガス遮断器の内部部品の状態を予測するための方法及びその装置、並びにその方法を適用したガス遮断器に関するものである。
【背景技術】
【０００２】
一般に、高電圧・大電流を遮断する遮断器としてＳＦ６を主成分とする消弧性ガスを絶縁・消弧媒体として使用するガス遮断器が広く使われている。例えば特許文献１に示されたガス遮断器は、ＳＦ６を主成分とする消弧性ガスを封入したタンク内に電流を通電及び遮断するための固定接触子及び可動接触子と電流遮断時に発生するアークに絶縁・消弧媒体である消弧性ガスを吹き付けるための絶縁ノズルが設けられている。電流の遮断時及び通電時には、可動接触子を駆動する操作機構の動作によって、可動接触子及び絶縁ノズルが移動することで電流の遮断及び通電を行う。電流の遮断時には両接触子間でアークが発生するため、絶縁ノズルと可動接触子の隙間から加圧された消弧性ガスがアークに吹き付けられ、アークが高圧の消弧性ガスで冷却され、消弧されることによって、電流が遮断される。
【０００３】
【特許文献１】実開昭６３−１５０４４４号公報（第２頁乃至４頁、図２）
【発明の開示】
【発明が解決しようとする課題】
【０００４】
特許文献１のようなガス遮断器では、固定接触子、可動接触子や絶縁ノズルは、大電流、高エネルギーのアークに晒されることから、電流の遮断の度に損耗する。この損耗が一定以上になると、両接触子間の接触抵抗が増大したり、ノズルと固定接触子との隙間増大で消弧性ガスの吹き付け力が弱くなったりして、ガス遮断器の性能が得られなくなるので、固定接触子、可動接触子や絶縁ノズルを交換する必要がある。しかし、このガス遮断器は絶縁・消弧媒体を封入した密閉容器内に設置される機器なので、外部から固定接触子、可動接触子や絶縁ノズルの損耗量を測定することが困難だった。そこで、従来、交換時期を事故電流遮断や大電流遮断の回数で規定したり、電流遮断の全回数で規定したりすることが多かった。したがって固定接触子、可動接触子や絶縁ノズルの交換時期の正確な予測や判定ができない問題点があった。
【０００５】
この発明は、上述のような課題を解決するためになされたもので、ガス遮断器を停止・密封開放することなく接触子や絶縁ノズルの損耗状態を高精度に予測し、これらの交換時期を正確に判定できる状態予測方法及び状態予測装置並びにその状態予測方法を適用したガス遮断器を得ることを目的とする。
【課題を解決するための手段】
【０００６】
この発明にかかるガス遮断器の状態予測方法は、タンク内に封入されたＳＦ６を主成分とする消弧性ガス中のＣＦ４ガスの濃度を検出し、所定のＣＦ４ガスの濃度と損耗量の関係に基づいて、接触子または絶縁ノズルの損耗状態を予測することを特徴とするものである。
【発明の効果】
【０００７】
この発明は、タンク内に封入された消弧性ガス中のＣＦ４ガスの濃度を検出し、所定のＣＦ４ガスの濃度と損耗量の関係に基づいて予測することで、ガス遮断器を停止・密封開放することなく接触子や絶縁ノズルの損耗状態を高精度に予測して、接触子や絶縁ノズルの交換時期を正確に判定できる。
【発明を実施するための最良の形態】
【０００８】
実施の形態１．
図１はこの発明の実施の形態１におけるガス遮断器を示す図である。絶縁・消弧媒体であるＳＦ６を主成分とする消弧性ガスを封入したタンク１の胴部に配置された絶縁スペーサ３に固定側シールド４を介して固定接触子２が固定されている。固定接触子２に接離可能に設置された可動接触子５は、絶縁棒６を介して駆動機構（図示せず）によって駆動される。ピストン７は絶縁筒１１を介してタンク１に固定されている。ピストン７に電気的に接続された可動側シールド１０は接触子９及び絶縁スペーサ８を介してタンク１の胴部に保持される。ピストン７は可動接触子５を摺動可能に保持している。可動接触子５に接続されたシリンダー１２は、ピストン７とで圧縮室１３を形成している。
【０００９】
可動接触子５の先端を覆うように絶縁ノズル１４がシリンダー１２に設けられている。絶縁ノズル１４はポリ四フッ化エチレン（ＰＴＦＥ）等のフッ素樹脂が使用される。絶縁ノズル１４と可動接触子５の隙間１４ａを介して圧縮室１３とタンク１とが連通している。可動接触子５の先端部の電界を緩和するために、シールド１５がシリンダー１２に設けられている。タンク１から消弧性ガスを採取するための採取手段であるパイプ１６が配置され、このパイプ１６はバルブ１７を介して、固定接触子２、可動接触子５や絶縁ノズル１４の損耗状態を予測する状態予測装置１８に接続される。
【００１０】
ガス遮断器の動作について説明する。遮断時には、可動接触子５は駆動機構の操作により絶縁棒６を介して右方向に駆動される。固定接触子２から可動接触子５が開離してアークが発生する。このときシリンダー１２は可動接触子５と共に移動するので、圧縮室１３の容積は縮小し室内の圧力が上昇する。このため、圧縮室１３内の高圧の消弧性ガスが絶縁ノズル１４と可動接触子５の隙間１４ａを通ってアークに吹き付けられる。アークは、高圧の消弧性ガスで冷却され、消弧されることによって、電流が遮断される。
【００１１】
通電時には、可動接触子５は駆動機構の操作により絶縁棒６を介して左方向に駆動される。このときシリンダー１２は可動接触子５と共に移動するので、圧縮室１３の容積は拡大し室内の圧力が降下して負圧になる。このためタンク１内の消弧性ガスが絶縁ノズル１４と可動接触子５の隙間１４ａを通って圧縮室１３内に流れ込む。
【００１２】
次にガス遮断器内で発生するアークによる部品の損耗について説明する。遮断時には、固定接触子２及び可動接触子５の間に大電流、高エネルギーのアークが発生するため、そのエネルギーによって固定接触子２、可動接触子５及び絶縁ノズル１４は損耗する。そして固定接触子２、可動接触子５及び絶縁ノズル１４は電流の遮断の度に大電流、高エネルギーのアークに晒されることから、電流の遮断の度に損耗していく。絶縁ノズルが損耗する際には、例えばポリ四フッ化エチレン（ＰＴＦＥ）製の絶縁ノズル１４は、消弧性ガス中のＳＦ６と反応し、以下の反応式（１）によって、四フッ化炭素（ＣＦ４）ガスや四フッ化硫黄（ＳＦ４）等の分解ガスが発生する。
ＳＦ６  ＋  （ＣＦ３−（ＣＦ２）ｎ−ＣＦ３）  →
ＳＦ４  ＋  ＣＦ４  ＋  （ＣＦ３−（ＣＦ２）ｎ−１−ＣＦ３）          （１）
ここでＣＦ３−（ＣＦ２）ｎ−ＣＦ３はポリ四フッ化エチレン（ＰＴＦＥ）である。
【００１３】
一般的に、ガス遮断器の内部には水分や分解ガスを吸収するための吸着剤が配置されている。この分解ガスのうちＳＦ４ガスは反応性が高く、吸着剤によって遮断後速やかに吸着され除去される。ＣＦ４ガスは化学的に極めて安定であり、吸着剤には吸着しない特性を有しているため、発生したＣＦ４ガスはタンク１に封入された消弧性ガスを交換しない限り残存し、電流の遮断を行う度に消弧性ガス中に蓄積し増加していく。
【００１４】
図２は、実施の形態１のガス遮断器における電流の遮断時のアークエネルギーと消弧性ガス中に含まれるＣＦ４ガスの濃度の関係を示す図である。横軸のアークエネルギーと縦軸のＣＦ４ガスの濃度は任意単位で記載している。ガス遮断器内のＣＦ４ガスの濃度を測定する方法は、バルブ１７を開いてガス遮断器のタンク１に接続されたパイプ１６から消弧性ガスを採取してガス分析を行って測定した。一般的に、ガス分析に用いられるガスクロマトグラフ（ＧＣ）では高精度な分析が可能である。またＣＦ４は赤外領域に特徴的吸収スペクトルを有しているので、赤外分光による分析装置である赤外分光装置でも高精度なＣＦ４ガスの濃度の測定が可能である。したがって、ガスクロマトグラフ（ＧＣ）や赤外分光装置を用いることで、高精度なＣＦ４ガスの濃度の測定を行うことができる。
【００１５】
図３はガス遮断器における電流の遮断時のアークエネルギーとノズル損耗量の関係を示す図である。横軸のアークエネルギーと縦軸のノズル損耗量は任意単位で記載している。図２及び図３から分かるとおり、消弧性ガス中のＣＦ４ガスの濃度と絶縁ノズル１４のノズル損耗量はいずれもアークエネルギーにほぼ比例している。従って図２及び図３から、アークエネルギーが等しいＣＦ４ガスの濃度とノズル損耗量を読み取ってグラフ化することで、横軸を消弧性ガス中のＣＦ４ガスの濃度、縦軸を絶縁ノズル１４のノズル損耗量とするＣＦ４ガスの濃度とノズル損耗量の関係（図４）が得られる。図４に示したとおり、絶縁ノズル１４のノズル損耗量はＣＦ４ガスの濃度に比例することが分かる。
【００１６】
また固定接触子２或いは可動接触子５の損耗量についても絶縁ノズル１４と同様にアークエネルギーに比例することが確かめられているので、接触子損耗量は図４と同様にして横軸を消弧性ガス中のＣＦ４ガスの濃度、縦軸を固定接触子２或いは可動接触子５の接触子損耗量とするＣＦ４ガスの濃度と接触子損耗量の関係（図５）が得られる。図５に示したとおり、図４と同様に接触子損耗量はＣＦ４ガスの濃度に比例する。以上のようにＣＦ４ガスの濃度は絶縁ノズル１４や固定接触子２或いは可動接触子５の損耗量を示す指標であると言える。また先に述べたとおり、ＣＦ４ガスは吸着・消滅することなく蓄積していくことから、ガス遮断器の主要部品である固定接触子２、可動接触子５や絶縁ノズル１４の損耗量の程度、即ち損耗状態を示す指標として相応しいことが分かる。
【００１７】
次に絶縁ノズル１４のノズル損耗量を予測する方法を説明する。図１に示された状態予測装置１８にてタンク１から採取した消弧性ガス中のＣＦ４ガスの濃度を測定する。測定したＣＦ４ガスの濃度から図４に示したＣＦ４ガスの濃度とノズル損耗量の関係に基づいて絶縁ノズル１４のノズル損耗量を予測する。即ち、予め取得したＣＦ４ガスの濃度とノズル損耗量の関係式Ａ１に、測定したＣＦ４ガスの濃度を代入して絶縁ノズル１４のノズル損耗量を演算して予測する。また、関係式にしていない場合には、ノズル損耗量と関係づけられたＣＦ４ガスの濃度の離散データＢ１と測定したＣＦ４ガスの濃度を比較し、測定したＣＦ４ガスの濃度に近接するＣＦ４ガスの濃度における２つのデータから比例計算してノズル損耗量を予測する。
【００１８】
絶縁ノズル１４を交換すべきかどうかを判定する交換判定は以下のようにすることができる。絶縁ノズル１４を交換すべき所定の基準ノズル損耗量となるＣＦ４ガスの濃度を基準ＣＦ４ガス濃度Ｃ１とすると、測定したＣＦ４ガスの濃度がこの基準ＣＦ４ガス濃度Ｃ１未満であればまだ交換せずに使用することができると判定する。測定したＣＦ４ガスの濃度がこの基準ＣＦ４ガス濃度Ｃ１以上であれば交換を行う必要があると判定する。
【００１９】
固定接触子２或いは可動接触子５の接触子損耗量を予測する方法はノズル損耗量を予測する方法と同様であり、測定したＣＦ４ガスの濃度から図５に示したＣＦ４ガスの濃度と接触子損耗量の関係に基づいて固定接触子２或いは可動接触子５の接触子損耗量を予測する。即ち、予め取得したＣＦ４ガスの濃度と接触子損耗量の関係式Ａ２に、測定したＣＦ４ガスの濃度を代入して絶縁ノズル１４の接触子損耗量を演算して予測する。また、関係式にしていない場合には、接触子損耗量と関係づけられたＣＦ４ガスの濃度の離散データＢ２と測定したＣＦ４ガスの濃度を比較し、測定したＣＦ４ガスの濃度に近接するＣＦ４ガスの濃度における２つのデータから比例計算して接触子損耗量を予測する。
【００２０】
固定接触子２或いは可動接触子５の交換判定は以下のようにすることができる。固定接触子２或いは可動接触子５を交換すべき所定の基準接触子損耗量となるＣＦ４ガスの濃度を基準ＣＦ４ガス濃度Ｃ２とすると、測定したＣＦ４ガスの濃度がこの基準ＣＦ４ガス濃度Ｃ２未満であればまだ交換せずに使用することができると判定する。測定したＣＦ４ガスの濃度がこの基準ＣＦ４ガス濃度Ｃ２以上であれば交換を行う必要があると判定する。通常、固定接触子２或いは可動接触子５の耐用期間は、絶縁ノズル１４の耐用期間と異なるため、基準ＣＦ４ガス濃度Ｃ２は基準ＣＦ４ガス濃度Ｃ１と異なる。
【００２１】
以上のように本実施の形態１におけるガス遮断器の状態予測方法は、固定接触子、可動接触子や絶縁ノズルの交換時期の正確な予測や判定ができなかった従来とは異なり、ガス遮断器を停止・密封開放することなく固定接触子、可動接触子や絶縁ノズルの損耗状態を高精度に予測して、接触子や絶縁ノズルの交換時期を正確に判定できる。
【００２２】
次に上述したガス遮断器の状態予測方法を用いることできる状態予測装置１８を説明する。図６は実施の形態１における第１の状態予測装置１８を示す構成図である。タンク１から採取した消弧性ガスはガスクロマトグラフや赤外分光装置等のＣＦ４ガス濃度検出手段１９に導入され、消弧性ガス中のＣＦ４ガスの濃度が検出される。ＣＦ４ガス濃度検出手段１９で検出されたＣＦ４ガスの濃度は基準ガス濃度記憶手段２１に記憶されたノズル損耗量の基準ＣＦ４ガス濃度Ｃ１と比較手段２０で比較される。測定したＣＦ４ガスの濃度がこの基準ＣＦ４ガス濃度Ｃ１以上であれば出力信号を警報手段２２に送信する。警報手段２２は出力信号を受けた場合に基準ＣＦ４ガス濃度Ｃ１以上であることを示す警報を発する。警報手段２２の警報は表示や警告灯の点灯などである。
【００２３】
なお、ノズル損耗量で説明したが、固定接触子或いは可動接触子の接触子損耗量についても同様である。この場合は接触子損耗量の基準ＣＦ４ガス濃度Ｃ２を用いる。基準ガス濃度記憶手段２１に基準ＣＦ４ガス濃度Ｃ１及び基準ＣＦ４ガス濃度Ｃ２を記憶させて、警報手段２２にノズル及び接触子夫々の判定結果を示すようにすることで、ノズル及び接触子の交換時期を１台の状態予測装置１８で判定することができる。
【００２４】
以上のように本実施の形態１におけるガス遮断器の状態予測装置は、ガス遮断器を停止・密封開放することなく固定接触子、可動接触子や絶縁ノズルの損耗状態を高精度に予測できる方法を使用することができるので、接触子や絶縁ノズルの損耗状態を高精度に予測し、接触子や絶縁ノズルの交換時期を正確に判定できる。
【００２５】
また、実施の形態１におけるガス遮断器は、固定接触子、可動接触子や絶縁ノズルの損耗状態を高精度に予測し、固定接触子、可動接触子や絶縁ノズルの交換時期を正確に判定できる状態予測装置を備えたので、ガス遮断器を停止・密封開放することなく、固定接触子、可動接触子や絶縁ノズルの損耗状態を間接的に知ることができる。これにより固定接触子、可動接触子や絶縁ノズルの過剰損耗を見過ごすことなく、固定接触子、可動接触子や絶縁ノズルの交換判定に過剰なマージンを付ける必要もなく、適切な基準損耗量を設けることができる。したがって接触子や絶縁ノズルの交換によるガス遮断器の停止と次の停止までの運用周期を長くすることができる。
【００２６】
通常、固定接触子、可動接触子や絶縁ノズルの交換時期は大きく異なることが多いので、同時に交換しないことが多い。そこで図７に示す第２の状態予測装置１８のように、交換前にＣＦ４ガス濃度検出手段１９で検出されたＣＦ４ガスの濃度を累積ＣＦ４ガス濃度として記憶する累積ガス濃度記憶手段２３を設けることで、１台の状態予測装置１８でそれぞれの交換時期に合わせて部品を交換することができるようになる。一方の部品を交換した場合に、交換しなかった部品の交換判定は次のように行う。ＣＦ４ガス濃度検出手段１９で検出されたＣＦ４ガスの濃度に、累積ガス濃度記憶手段２３に記憶された累積ＣＦ４ガス濃度を加えたＣＦ４ガスの濃度を用いて判定を行う。このようにすることで、交換しなかった部品は、その損耗量を正しく反映しているＣＦ４ガスの濃度で交換判定ができる。したがって、交換した部品はＣＦ４ガス濃度検出手段１９で検出されたＣＦ４ガスの濃度をそのまま使用して正しい交換判定を行うことができ、並びに交換しなかった部品も正しく交換判定を行うことができる。即ち、１台の状態予測装置１８で交換時期が大きく異なる部品をそれぞれの交換時期に合わせて交換することができる。
【００２７】
今まで説明した状態予測装置１８は、固定接触子、可動接触子や絶縁ノズルの交換判定を行った結果を警報手段２２で警報するのみであったが、図８に示す第３の状態予測装置１８のように、接触子や絶縁ノズルの損耗量を表示することも可能である。２４は予め取得したＣＦ４ガスの濃度とノズル損耗量の関係式Ａ１、或いはノズル損耗量と関係づけられたＣＦ４ガスの濃度の離散データＢ１を記憶する関係情報記憶手段である。中央処理装置（ＣＰＵ）等の処理手段２５は、処理手段２５が備える内部バッファにＣＦ４ガスの濃度を一時的に記憶する。そして処理手段２５は、関係情報記憶手段２４に記憶したノズル損耗量の関係式Ａ１に、内部バッファに記憶したＣＦ４ガスの濃度を代入してノズル損耗量を演算する。或いはノズル損耗量と関係づけられたＣＦ４ガスの濃度の離散データＢ１と検出して一時的に記憶したＣＦ４ガスの濃度とを比較し、記憶したＣＦ４ガスの濃度に近接するＣＦ４ガスの濃度における２つのデータから比例計算して、ノズル損耗量を演算する。そして演算されたノズル損耗量を表示手段２６に表示する。これによって絶縁ノズル１４の損耗量を知ることができる。得られた絶縁ノズル１４の損耗量を使って、交換すべき所定の基準ノズル損耗量との差から絶縁ノズル１４の概略の交換時期を予測することもできる。絶縁ノズルの交換時期を判定する方法は第１の状態予測装置１８と同様である。なお、第２の状態予測装置１８では、第１の状態予測装置１８の比較手段２０に代わって、処理手段２５によって検出されたＣＦ４ガスの濃度とノズル損耗量の基準ＣＦ４ガス濃度Ｃ１とを比較する。
【００２８】
なお、ノズル損耗量で説明したが、固定接触子或いは可動接触子の接触子損耗量についても同様である。上述した交換時期が大きく異なる部品を１台の状態予測装置１８でそれぞれの交換時期に合わせて交換する場合と組み合わせることもできることは言うまでもない。
【００２９】
図９はこの発明の実施の形態１における第４の状態予測装置を示す構成図である。図８の状態予測装置とはＣＦ４ガスの濃度の変化傾向を利用して接触子や絶縁ノズルの交換時期を予測する点で異なる。図において、２７はＣＦ４ガス濃度検出手段１９で検出されたＣＦ４ガスの濃度と測定日時を関係づけて記憶する時系列データ記憶手段である。中央処理装置（ＣＰＵ）等の処理手段２５はＣＦ４ガス濃度検出手段１９で検出されたＣＦ４ガスの濃度をその測定日時と共に時系列データ記憶手段２７に記憶させる。また処理手段２５は時系列データ記憶手段２７に記憶されたＣＦ４ガス濃度時系列データＤ１を読み出してＣＦ４ガスの濃度の変化傾向を演算する。処理手段２５で演算したＣＦ４ガスの濃度の変化傾向をグラフ化すると図９のようになる。
【００３０】
処理手段２５で演算したＣＦ４ガスの濃度の変化傾向から基準ガス濃度記憶手段２１に記憶されたノズル損耗量の基準ＣＦ４ガス濃度になる予定期日を演算する。そして演算された予定期日を表示手段２６に表示する。これによって絶縁ノズル１４の予定期日を知ることができる。絶縁ノズル１４を交換した場合にはＣＦ４ガス濃度時系列データＤ１をリセットし、その後にＣＦ４ガス濃度検出手段１９で検出されたＣＦ４ガスの濃度は新たなＣＦ４ガス濃度時系列データとして時系列データ記憶手段２７に記憶する。なお、ノズル損耗量で説明したが、固定接触子或いは可動接触子の接触子損耗量についても同様である。
【００３１】
また、上述した交換時期が大きく異なる部品を１台の状態予測装置１８でそれぞれの交換時期に合わせて交換する場合と組み合わせることもできる。交換前にＣＦ４ガス濃度検出手段１９で検出されたＣＦ４ガスの濃度を累積ガス濃度記憶手段２３に累積ＣＦ４ガス濃度として記憶する。一方の部品を交換した場合に、交換しなかった部品の交換時期予測は次のように行う。処理手段２５はＣＦ４ガス濃度検出手段１９で検出されたＣＦ４ガスの濃度に累積ガス濃度記憶手段２３に記憶された累積ＣＦ４ガス濃度を加えたＣＦ４ガスの濃度もその測定日時と共に時系列データ記憶手段２７に記憶させる。ここで、時系列データ記憶手段２７において、交換しなかった部品のＣＦ４ガス濃度時系列データＤ２を記憶する領域は、交換した部品のＣＦ４ガス濃度時系列データＤ１を記録する領域とは異なる。
【００３２】
このようにすることで、交換しなかった部品のＣＦ４ガス濃度時系列データは、その損耗量を正しく反映したＣＦ４ガス濃度時系列データとなるで、正しく交換時期予測を行うことができる。したがって、交換した部品はリセットしたＣＦ４ガス濃度時系列データをそのまま使用して正しい交換時期予測を行うことができ、並びに交換しなかった部品も正しく交換時期予測を行うことができる。即ち、１台の状態予測装置１８で交換時期が大きく異なる部品をそれぞれの交換時期に合わせて交換しても、それぞれの交換時期を正しく予測することができる。
【００３３】
以上のように実施の形態１における第４の状態予測装置は、損耗状態を高精度に反映したＣＦ４ガスの濃度の変化傾向を利用して、固定接触子、可動接触子や絶縁ノズルの交換時期を高精度に予測することができる。また、この予測された交換時期によって当初の定期的に測定する定期測定期間の見直しを行い、定期測定期間を短くすることで、適切な時期に接触子や絶縁ノズルの交換を行うことができる。
【００３４】
なお、表示手段２６に固定接触子、可動接触子や絶縁ノズルの交換時期と共にノズル損耗量や接触子損耗量を表示してもよい。この場合は、第３の状態予測装置で説明した関係情報記憶手段２４を設けて、処理手段２５でノズル損耗量や接触子損耗量を演算し、その数値を表示手段２６に表示すればよい。
【００３５】
また、実施の形態１における第４の状態予測装置を備えたガス遮断器は、損耗状態を高精度に反映したＣＦ４ガスの濃度の変化傾向を利用して、固定接触子、可動接触子や絶縁ノズルの交換時期を高精度に予測することができる状態予測装置を備えたので、ガス遮断器を停止・密封開放することなく、固定接触子、可動接触子や絶縁ノズルの交換時期を高精度に知ることができる。これにより当初の定期的に測定する定期測定期間の見直しを行い、定期測定期間を短くすることで、適切な時期に接触子や絶縁ノズルの交換を行うことができる。したがって新しい接触子や絶縁ノズルを適切な時期に準備することができる。
【００３６】
また、実施の形態１における第２及び第３の状態予測装置を備えたガス遮断器は、夫々の状態予測装置のメリットを享受することができる。
【００３７】
また、固定接触子、可動接触子や絶縁ノズルの交換時期が大きく異なっていれば、それぞれの交換時期にしたがって別々に交換する例を説明したが、固定接触子、可動接触子や絶縁ノズルの交換時期が大きく異なることが無い場合は、一方の交換時期になったときに他の部品も損耗した部品と共に交換しても構わない。こうすることでガス遮断器の停止・密封開放する回数を最小にすることができるメリットがある。
【００３８】
また、絶縁ノズル１４はポリ四フッ化エチレン（ＰＴＦＥ）製の場合で説明したが、ＣＦ４ガスが発生するポリ四フッ化エチレン・パーフルオロアルキルビニルエーテル共重合体（ＰＦＡ）やポリ四フッ化エチレン・ヘキサフルオロプロピレン共重合体（ＦＥＰ）等のフッ素樹脂でも構わない。
【図面の簡単な説明】
【００３９】
【図１】この発明の実施の形態１におけるガス遮断器を示す図である。
【図２】図１のガス遮断器でのアークエネルギーとＣＦ４ガスの濃度の関係を示す図である。
【図３】図１のガス遮断器でのアークエネルギーとノズル損耗量の関係を示す図である。
【図４】図１のガス遮断器におけるＣＦ４ガスの濃度とノズル損耗量の関係を示す図である。
【図５】図１のガス遮断器におけるＣＦ４ガスの濃度と接触子損耗量の関係を示す図である。
【図６】実施の形態１における第１の状態予測装置を示す構成図である。
【図７】実施の形態１における第２の状態予測装置を示す構成図である。
【図８】実施の形態１における第３の状態予測装置を示す構成図である。
【図９】実施の形態１における第４の状態予測装置を示す構成図である。
【図１０】第４の状態予測装置におけるＣＦ４ガスの濃度の変化傾向をグラフ化した図である。
【符号の説明】
【００４０】
１  タンク、２  固定接触子、５  可動接触子、１４  絶縁ノズル、１６  パイプ、１９  ＣＦ４ガス濃度検出手段、２０  比較手段、２１  基準ガス濃度記憶手段、２２  警報手段、２５  処理手段、２６  表示手段、２７  時系列データ記憶手段。
【図１】
2008198557.tif 000003
【図２】
2008198557.tif 000004
【図３】
2008198557.tif 000005
【図４】
2008198557.tif 000006
【図５】
2008198557.tif 000007
【図６】
2008198557.tif 000008
【図７】
2008198557.tif 000009
【図８】
2008198557.tif 000010
【図９】
2008198557.tif 000011
【図１０】
2008198557.tif 000012